(57)【要約】【課題】乳幼児に生じ得る「吐き戻し」や「げっぷ」などの好ましくない現象の対策として有用である乳幼児用枕を提供すること。【解決手段】本体における側断面の形状が略三角形であり、当該略三角形における、底辺と２辺のうち一方の辺とのなす角と、底辺と２辺のうち他方の辺とのなす角とは、異なる鋭角に形成される。よって、例えば、本体における底面に対して傾斜する２つの面のうち、いずれの面に乳幼児の背側を当てても、乳幼児の身体を横向きに維持させることができ、吐き戻しやげっぷなどの発生を防止できる。また、背側を当てる面を変えることにより、乳幼児の横向きの度合いを適切に調整できる。【選択図】図１
0003176842.tif 000002
【実用新案登録請求の範囲】
【請求項１】
軟質材からなる本体と、その本体を覆う布製のカバーとから構成される乳幼児用枕であって、
前記本体は、底面と、その底面に対して傾斜する２つの面とを備え、
前記本体における側断面の形状は、前記底面に対応する底辺と、前記２つの面にそれぞれ対応する２辺とを有する略三角形であり、
前記底辺と前記２辺のうち一方の辺とのなす角と、前記底辺と前記２辺のうち他方の辺とのなす角とは、異なる鋭角に形成されることを特徴とする乳幼児用枕。
【請求項２】
前記本体の形状は、前記底面と、その底面に対して傾斜する２つの面とを有する略三角柱形状であることを特徴とする請求項１記載の乳幼児用枕。
【請求項３】
前記カバーは、前記本体を覆うカバー部と、そのカバー部が本体を覆った場合に、前記本体の底面側から延出するシート状の延出部とを備えていることを特徴とする請求項２記載の乳幼児用枕。
【請求項４】
前記カバー部は、端部が開口された筒状に構成されることを特徴とする請求項３記載の乳幼児用枕。
【請求項５】
前記２つの面のうち一方の面は、乳幼児の身体を位置させる面として構成され、
上面視における前記２つの面のうち他方の面を含む形状は、人体の腰部に装着するための凹部を有するクッション体における前記凹部に沿う形状に構成されることを特徴とする請求項１記載の乳幼児用枕。
【請求項６】
前記略三角形において、前記乳幼児の身体を位置させる面に対応する辺と前記底辺とのなす角は、２０度以上かつ２８度以下であることを特徴とする請求項５記載の乳幼児用枕。
【請求項７】
前記乳幼児の身体を位置させる面の前記底面からの高さは、前記クッション体の高さより低いことを特徴とする請求項５又は６に記載の乳幼児用枕。
【請求項８】
前記カバーは、前記本体の底面が位置する部分が滑り止めに構成されることを特徴とする請求項１から７のいずれかに記載の乳幼児用枕。
【考案の詳細な説明】
【技術分野】
【０００１】
本考案は、乳幼児用枕に関し、特に、乳幼児に生じ得る種々の現象の対策として有用である乳幼児用枕に関するものである。
【背景技術】
【０００２】
乳幼児用枕としては、例えば、特許文献１に記載されるものが知られている。この特許文献１には、ドーナツ形状で、該ドーナツ形状を略４等分し、それぞれ相対する部位を薄肉部と厚肉部に４区分に形成した乳児用枕が記載されている。特許文献１に記載される乳児用枕によれば、中央部のドーナツ形状の孔の部分に頭部が嵌入し、頭部左右に厚肉部を位置させることにより乳幼児の頭部を安定させることができるので、乳幼児の頭部の変形が防止される。
【先行技術文献】
【特許文献】
【０００３】
【特許文献１】実開平４−７４０７３号公報
【考案の開示】
【考案が解決しようとする課題】
【０００４】
ところで、乳幼児においては、授乳後に所謂「吐き戻し」、「げっぷ」、または「鼻詰まり」などの好ましくない現象が生じることがある。例えば、乳幼児が「吐き戻し」をした場合、嘔吐物が気道に詰まることもあり得るので、母親は乳幼児から目を離すことができず、母親の負担が大きい。上記特許文献１に記載される乳児用枕の場合、ドーナツ形状の孔の部分に頭部を嵌入させるため、乳幼児の頭部と胴体部とを結ぶ線が略水平となり、それにより、授乳後に母乳などが食道から口腔内に逆流し易く、「吐き戻し」が起き易い。
【０００５】
本考案は、上述した事情等を鑑みてなされたものであり、乳幼児に生じ得る「吐き戻し」や「げっぷ」などの好ましくない現象の対策として有用である乳幼児用枕を提供することを目的としている。
【課題を解決するための手段および考案の効果】
【０００６】
請求項１記載の乳幼児用枕によれば、カバーで覆われる本体における側断面の形状が、底面に対応する底辺と、底面に対して傾斜する２つの面にそれぞれ対応する２辺とを有する略三角形であり、当該略三角形における、底辺と２辺のうち一方の辺とのなす角と、底辺と２辺のうち他方の辺とのなす角とは、異なる鋭角に形成される。つまり、本体における底面に対して傾斜する２つの面が当該底面に対して鋭角とされる。よって、例えば、いずれの面に乳幼児の背側を当てても、乳幼児の身体（頭部及び胴体部）を横向きの状態に維持させて寝かせることができる。あるいは、前記２つの面のうち一方の面を、例えば、所謂「授乳クッション」の凹部に差し込んだ場合に、本乳幼児用枕を、その傾斜（鋭角の傾斜）によって当該授乳クッションの凹部により深く差し込むことができる。これにより、本乳幼児用枕と授乳クッションとを安定的に組み合わせることが可能となるので、前記凹部の大きさ程度の比較的小さなサイズの乳幼児用枕であっても、授乳クッションとの組み合わせによって、乳幼児の身体をその頭部を高くした仰向けの状態で安定的に寝かせることが可能となる。従って、乳幼児を、横向き、または、頭部を高くした仰向けの姿勢で安定的に寝かせることができ、吐き戻しやげっぷや鼻詰まり等の発生を有効に防止し得る。
【０００７】
また、請求項１記載の乳幼児用枕によれば、底面に対して傾斜する２つの面が、当該底面に対して異なる角度とされるので、背側を当てる面を変えることにより、乳幼児の横向きの度合いを適切に調整できる。あるいは、一方の面の底面に対する角度を乳幼児を位置させるのに適した緩やかな角度にしつつ、他方の面の底面に対する角度を、授乳クッションの凹部に対して適した角度にすることができるので、授乳クッションとの組み合わせを好適に安定化させることができる。
【０００８】
上述した通り、請求項１記載の乳幼児用枕によれば、乳幼児に生じ得る「吐き戻し」や「げっぷ」などの好ましくない現象の対策として有用であるという効果がある。
【０００９】
請求項２記載の乳幼児用枕によれば、請求項１記載の乳幼児用枕が奏する効果に加え、次の効果を奏する。本体の形状が、底面と、その底面に対して傾斜する２つの面とを有する略三角柱形状であるので、いずれの面に乳幼児の背側を当てても、乳幼児の身体（頭部及び胴体部）を横向きに維持させることができ、吐き戻しやげっぷや鼻詰まり等の発生を防止できるという効果がある。
【００１０】
請求項３記載の乳幼児用枕によれば、請求項２記載の乳幼児用枕が奏する効果に加え、次の効果を奏する。乳幼児用枕のカバーは、本体を覆うカバー部が本体を覆った場合に、その本体の底面側から、乳幼児の身体を位置させる側に延出するシート状の延出部を有するので、本乳幼児用枕に対して乳幼児の身体を位置させた場合に、その乳幼児は、延出部を下敷きにすることになり、乳幼児が伸びなどによって動いた場合であっても、乳幼児の重みによって本体がずれ動くことを抑制できる。よって、乳幼児の向きが、本体のずれ動きによって仰向きになることを防止できるという効果がある。また、延出部がシート状に構成されるので、本体の周囲に巻き付けるようにすることによって、延出部を乳幼児の下敷きにしつつ、底面に対して鋭角に傾斜する２つの面のどちらに対しても乳幼児の背側を当てさせることができるという効果がある。
【００１１】
請求項４記載の乳幼児用枕によれば、請求項３記載の乳幼児用枕が奏する効果に加え、次の効果を奏する。乳幼児用枕のカバーにおける、本体を覆うカバー部は筒状に構成されるので、略三角柱形状の本体を、どちらの向きからも挿入することができる。よって、底面に対して傾斜する２つの面のうち、延出部の側に向ける面を状況に応じて変えることができるので、乳幼児の背側に所望の角度の面を当てつつ、延出部を乳幼児の身体の下敷きにさせることができるという効果がある。また、カバー部の端部は開口されているので、カバーを容易に取り外すことができ、衛生面においても好適であるという効果がある。
【００１２】
請求項５記載の乳幼児用枕によれば、請求項１記載の乳幼児用枕が奏する効果に加え、次の効果を奏する。底面に対して傾斜する２つの面のうち、一方の面が乳幼児の身体を位置させる面として構成される。そして、上面視における前記２つの面のうち他方の面を含む形状が、人体の腰部に装着するための凹部を有するクッション体における前記凹部に沿う形状に構成される。よって、本乳幼児用枕を、人体の腰部に装着するための凹部を有するクッション体（例えば、授乳クッション）と組み合わせて使用することができるという効果がある。
【００１３】
請求項６記載の乳幼児用枕によれば、請求項５記載の乳幼児用枕が奏する効果に加え、次の効果を奏する。乳幼児の身体を位置させる面に対応する辺と、底面に対応する底辺とのなす角が、２０度以上かつ２８度以下であるので、乳幼児の傾きを母親に抱かれるときの角度に近くすることができ、乳幼児に安心感を与えることができるという効果がある。
【００１４】
請求項７記載の乳幼児用枕によれば、請求項５又は６に記載の乳幼児用枕が奏する効果に加え、次の効果を奏する。乳幼児の身体を位置させる面の底面からの高さは、クッション体の高さより低いので、クッション体の凹部に対する収まりがよいとともに、クッション体側から本乳幼児用枕に向かって下降する傾斜を作ることができ、クッション体を含めて乳幼児を寝かせることができるという効果がある。
【００１５】
請求項８記載の乳幼児用枕によれば、請求項１から７のいずれかに記載の乳幼児用枕が奏する効果に加え、次の効果を奏する。乳幼児用枕のカバーは、本体の底面が位置する部分が滑り止めに構成されるので、乳幼児が伸びなどによって動いた場合であっても、本体がずれ動くことを抑制できるという効果がある。
【図面の簡単な説明】
【００１６】
【図１】（ａ）は、第１実施形態における乳幼児用枕の外観を示す斜視図であり、（ｂ）は、（ａ）に示す乳幼児用枕の側面図である。
【図２】（ａ）は、乳幼児用枕を構成する本体を示す斜視図であり、（ｂ）は、（ａ）のＩＩｂ−ＩＩｂ線における側断面図である。
【図３】第１実施形態の乳幼児用枕の使用状態の一例を説明する参考図である。
【図４】（ａ）は、第２実施形態における乳幼児用枕の外観を示す斜視図であり、（ｂ）は、（ａ）のＩＶｂ−ＩＶｂ線における側断面図である。
【図５】懸架装置による昇降動作を説明するための概念図であり、（ａ）及び（ｂ）は、それぞれ図４（ａ）及び図４（ｂ）の状態に対応する。
【図６】第２実施形態の乳幼児用枕の使用状態の一例を説明する参考図である。
【考案を実施するための形態】
【００１７】
以下、本考案の好ましい実施形態について、添付図面を参照して説明する。まず、図１及び図２を参照して、本考案の第１実施形態における乳幼児用枕１の構成を説明する。図１（ａ）は、本考案の第１実施形態における乳幼児用枕１の外観を示す斜視図であり、図１（ｂ）は、乳幼児用枕１の側面図である。また、図２（ａ）は、本体２を示す斜視図であり、図２（ｂ）は、図２（ａ）のＩＩｂ−ＩＩｂ線における本体２の側断面図である。
【００１８】
図１（ａ）及び（ｂ）に示すように、本実施形態の乳幼児用枕１は、本体２と、本体２を覆う布製のカバー３とから構成される。なお、図１（ａ）及び（ｂ）では、本考案に対する理解を容易にする目的で、本体２とカバー３との間を意図的に離間させて図示している。
【００１９】
本体２は、クッション性のある軟質材から構成される。本体２を構成可能な軟質材としては、例えば、発泡ウレタンなどの軟性発泡樹脂の成形品や、前記軟性発泡樹脂からなる小片（例えば、ビーズ状の小片）を袋体に詰めて成形したものなどを利用できる。なお、本体２を軟性発泡樹脂の成形品から構成する場合には、当該成形品そのものを用いても、当該成形品を袋体で掩覆したものを用いてもよい。
【００２０】
図２（ａ）に示すように、本体２は、略長方形状の底面２ａと、底面２ａに対して傾斜する略長方形状の上面２ｂと、底面２ａに対して傾斜する略長方形状の上面２ｃと、略三角形状の側面２ｄと、略三角形状の側面２ｅとを有する略三角柱形状に構成される。なお、図２では、底面２ａと上面２ｂとから形成される角部、底面２ａと上面２ｃとから形成される角部、および、上面２ｂと上面２ｃとから形成される角部を、いずれも丸みのない角部として図示したが、これらの角部は、丸みを帯びていても、面取りされていてもよい。
【００２１】
図２（ｂ）に示すように、略三角柱形状である本体２のＩＩｂ−ＩＩｂ線における側断面は、底面２ａに対応する底辺２ａｘと、上面２ｂに対応する斜辺２ｂｘと、上面２ｃに対応する斜辺２ｃｘとからなる略三角形状となる。底辺２ａｘと斜辺２ｂｘとのなす角α１、および、底辺２ａｘと斜辺２ｃｘとのなす角β１は、いずれも鋭角に構成される。つまり、上面２ｂ及び上面２ｃの底面２ａに対する各傾斜角はいずれも鋭角である。また、本実施形態では、角α１と角β１とが異なる角度に構成される。つまり、本体２において、上面２ｂ及び上面２ｃの底面２ａに対する各傾斜角が異なる。
【００２２】
詳細は後述するが、上面２ｂ及び上面２ｃは、乳幼児の背側を当てる面として使用される。よって、上面２ｂ及び上面２ｃを底面２ａに対して鋭角に傾斜させたことにより、上面２ｂ又は上面２ｃのいずれの面に乳幼児の背側を当てても、乳幼児の身体を横向きに維持させることができる。また、上面２ｂ及び上面２ｃの底面２ａに対する各傾斜角を異ならせたことにより、上面２ｂ又は上面２ｃのうち、背側を当てる面を変えることにより、乳幼児の横向きの度合いを適切に調整できる。
【００２３】
角α１は、例えば４５度であり、角β１は、例えば６５度である。なお、角α１及び角β１としては、これらの角度の差が適宜な差となるような鋭角を採用できる。例えば、角α１と角β１との差を、１０度以上かつ２０度以下とすることにより、底面２ａに対して傾斜する２つの上面２ｂ，２ｃの使い分けにより、乳幼児の向きを適度に変更させることができる。
【００２４】
図１に戻って説明する。カバー３は、図１（ａ）及び（ｂ）に示すように、本体２を覆うカバー部３ａと、カバー部から延出する延出部３ｂとを有する。カバー部３ａは、本体２を内部に収容可能な筒状に構成される。カバー部３ａは筒状に構成されるので、延出部３ｂ側に上面２ｂが向くように本体２を収容することも、延出部３ｂ側に上面２ｃが向くように本体２を収容することも可能である。筒状のカバー部３ａは、両端３ａ１，３ａ２が開口されているので、端３ａ１又は端３ａ２のいずれの端からであっても、本体２を出し入れできる。よって、乳幼児用枕１は、カバー３の取り外しや取り替えを容易に行うことができ、衛生面において好適である。なお、カバー部３ａは、両端３ａ１，３ａ２のうち、一方のみが開口され、他方は閉じられていてもよい。また、カバー部３ａは、両端３ａ１，３ａ２がともに閉じられ、筒状部における適宜位置に本体２を出し入れ可能でありファスナー等によって開閉可能な開口部を設けてもよい。
【００２５】
カバー部３ａは、本体２の底面２ａに対応する領域３ａ３が、例えば、ポリエステル製の不織布から構成される。一方、カバー部３ａにおける、領域３ａ３以外の領域は、例えば、綿布や綿とポリエステルとの混紡布などの織布から構成される。領域３ａ３には、図１（ｂ）に示すように、滑り止め用の小さな突起Ｐが多数設けられる。なお、図１（ｂ）では、突起Ｐを分かり易く大きめに図示している。乳幼児用枕１を使用する場合、領域３ａ３の突起Ｐを床面に接地させて使用する。領域３ａ３は、多数の突起Ｐによって滑り止めに構成されるので、乳幼児が伸びなどをした場合であっても、本体２のずれ動きを抑制できる。
【００２６】
延出部３ｂは、例えば、綿布や綿とポリエステルとの混紡布などの織布から構成される。延出部３ｂを構成する布と、カバー部３ａにおける領域３ａ３以外の領域を構成する布地とは同じであっても異なっていてもよい。延出部３ｂは、略矩形状のシート状に構成され、乳幼児用枕１を使用する場合には、図１（ａ）及び（ｂ）に示すように、延出部３ｂを床面に広げた状態で使用する。乳幼児用枕１は、床面に広げた延出部３ｂの上に乳幼児を位置させる。つまり、乳幼児用枕１を使用する場合には、延出部３ｂは乳幼児の下敷きとされるので、乳幼児の重みによって、乳幼児が伸びなどをした場合であっても、本体２のずれ動きを抑制できる。上述した通り、カバー部３ａは筒状に構成されているため、本体２の挿入方向を変えることにより、本体２の上面２ｂ及び上面２ｃのどちらの面であっても延出部３ｂの側に向けることができる。つまり、上面部２ｂを延出部３ｂの側に向けることも、上面部２ｃを延出部３ｂの側に向けることもできる。
【００２７】
本実施形態の乳幼児用枕１において、延出部３ｂは、布製のシート体として構成され、軟質材を内包しない。よって、延出部３ｂは、略三角柱形状である本体２（カバー部３ａ）の外周に巻き付けることが可能である。よって、乳幼児用枕１を使用しない場合には延出部３ｂを本体２の外周に巻き付けた状態で収納できる。また、延出部３ｂを、図１（ａ）及び（ｂ）の状態から、領域３ａ３の下側を通すように折り曲げることにより、延出部３ｂの側に向く本体２の上面を、図１（ａ）及び（ｂ）の状態において延出部３ｂの側に向いていた上面（例えば、上面２ｂ）から、他方の上面（例えば、上面２ｃ）に変更できる。よって、カバー部３ａに対する本体２の挿入方向の入れ替えを行わなくても、延出部３ｂを乳幼児の下敷きにしつつ、２つの上面２ｂ，２ｃのどちらに対しても乳幼児の背側を当てさせることが可能となる。
【００２８】
図３は、本実施形態の乳幼児用枕１の使用状態の一例を説明する参考図である。図３に示すように、乳幼児用枕１は、乳幼児Ｂを、本体２の上面（上面２ｂ又は上面２ｃ）に背側を当てるように延出部３ｂ上に位置させて使用される。上述した通り、上面２ｂ及び上面２ｃは、いずれも、底面２ａに対して鋭角に傾斜しているので、乳幼児Ｂの背側を本体２の上面２ｂ又は上面２ｃに当てることにより、乳幼児Ｂの身体（頭部Ｂａ及び胴体部Ｂｂ）を横向きに維持させることができる。
【００２９】
よって、本実施形態の乳幼児用枕１によれば、乳幼児の身体を横向きに維持させることができるので、吐き戻しやげっぷや鼻詰まり等の発生を防止できる。また、寝返りを打つことのできない月齢の乳幼児の場合、向き癖による頭の変形が懸念されるが、底面２ａに対して鋭角に傾斜する２つの上面（上面２ｂ，２ｃ）を使い分けることにより、乳幼児Ｂを癖のある向きと反対向きに寝かせることができる。これにより、頭の変形を防止することもできる。
【００３０】
また、上述した通り、上面２ｂ及び上面２ｃの底面２ａに対する各傾斜角が異なっているので、上面２ｂ又は上面２ｃのうち、背側を当てる面を変えることにより、乳幼児の横向きの度合いを適切に調整できる。よって、上面２ｂ又は上面２ｃのうち、背側を当てる面を乳幼児の月齢（身体の大きさ）に応じて変えることができる。
【００３１】
乳幼児用枕１の使用時には、カバー３の延出部３ｂを乳幼児Ｂの下敷きとすることにより、乳幼児Ｂの重みによって、乳幼児Ｂが伸びなどをした場合であっても、本体２のずれ動きを抑制できる。よって、乳幼児Ｂの向きが、本体２のずれ動きによって仰向けになることを防ぐことができる。
【００３２】
次に、図４〜図６を参照して、本考案の第２実施形態について説明する。図４（ａ）は、本考案の第２実施形態における乳幼児用枕１１の外観を示す斜視図であり、図４（ｂ）は、図４（ａ）のＩＶｂ−ＩＶｂ線における乳幼児用枕１１の側断面図である。なお、図４（ｂ）では、本考案に対する理解を容易にする目的で、本体１２とカバー１３との間を意図的に離間させて図示している。
【００３３】
図４（ａ）に示すように、本実施形態の乳幼児用枕１１は、本体１２と、本体１２を覆う布製のカバー１３とから構成される。本体１２は、クッション性のある軟質材から構成される。本体１２を構成可能な軟質材としては、上述した第１実施形態の本体２において例示した軟質材を利用できる。なお、本実施形態の乳幼児用枕１１は、上面１２ｂに乳幼児を載置させて使用するものであるので、本体１２を構成する軟質材は、発泡ウレタンなどの軟性発泡樹脂の成形品であることが好ましい。
【００３４】
本体１２は、底面１２ａと、上面１２ｂと、側面１２ｃとから構成される。底面１２ａと上面１２ｂとは、底面１２ａを構成する略直線状の端辺１２ａ１と、上面１２ｂを構成する略直線状の端辺１２ｂ１とを介して、上面１２ｂが底面１２ａに対して傾斜するように連設される。つまり、底面１２ａに対する上面１２ｂの高さは、端辺１２ａ１，１２ｂ１から離れるほど高い。側面１２ｃは、底面１２ａと上面１２ｂとの間に設けられる。なお、図４（ａ）では、底面１２ａと上面１２ｂとから形成される角部、底面１２ａと側面１２ｃとから形成される角部、および、上面１２ｂと側面１２ｃとから形成される角部を、いずれも丸みのない角部として図示したが、これらの角部は、丸みを帯びていても、面取りされていてもよい。
【００３５】
底面１２ａにおける端辺１２ａ１の両端を結ぶ端辺１２ａ２、および、上面１２ｂにおける端辺１２ｂ１の両端を結ぶ端辺１２ｂ２は、いずれも曲線に構成される。詳細は後述するが、本実施形態の乳幼児用枕１１は、側面１２ｃを、授乳クッション２０（図５（ａ）参照）に設けられた凹部２０ａに差し込み、授乳クッション２０と組み合わせて使用する。よって、本体１２（乳幼児用枕１１）の上面視における、端辺１２ａ２，１２ｂ２の側の形状は、凹部２０ａ（図５（ａ）参照）に沿う形状に構成される。乳幼児用枕１１を授乳クッション２０に組み合わせるという性質上、底面１２ａに対する上面１２ｂの高さは、授乳クッション２０の高さより低いことが好ましい。
【００３６】
カバー１３は、本体１２の外形に合わせた形状の布製の袋体であり、図示されないファスナーにより開閉可能に構成される。本体１２は、図示されないファスナーを開けることにより、カバー１３から出し入れすることができる。よって、乳幼児用枕１１は、必要に応じてカバー３の取り外しや取り替えを行うことができるので、衛生面において好適である。カバー１３は、例えば、綿布や綿とポリエステルとの混紡布などの織布から構成される。なお、上述した第１実施形態と同様、カバー１３における本体１２の底面１２ａに対応する領域を、例えば、ポリエステル製の不織布から構成し、当該領域に滑り止め用の突起を設けるなど、滑り止めに構成してもよい。
【００３７】
図４（ｂ）に示すように、本体１２のＩＩｂ−ＩＩｂ線における側断面は、底面１２ａに対応する底辺１２ａｘと、上面１２ｂに対応する斜辺１２ｂｘと、側面１２ｃに対応する斜辺１２ｃｘとからなる略三角形状となる。底辺１２ａｘと斜辺１２ｂｘとのなす角α２、および、底辺１２ａｘと斜辺１２ｃｘとのなす角β２は、いずれも鋭角に構成される。つまり、上面１２ｂ及び側面１２ｃは底面１２ａに対していずれも傾斜しており、その傾斜角はいずれも鋭角である。また、本実施形態では、角α２と角β２とが異なる角度に構成される。つまり、本体１２において、上面１２ｂ及び側面１２ｃの底面２ａに対する各傾斜角が異なる。
【００３８】
角α２は、例えば２５度である。角α２は、２０度以上かつ２８度以下であることが好ましい。詳細は後述するが、上面１２ｂは、乳幼児の身体を仰向けに載置する面として使用される。よって、角度α２を、２０度以上かつ２８度以下の角度とすることにより、乳幼児の傾きが母親に抱かれるときの角度に近くすることができ、乳幼児に安心感を与えることができる。
【００３９】
角β２もまた、鋭角であるので、側面１２ｃを、授乳クッション２０の凹部２０ａ（図５（ａ）参照）に差し込んだ場合には、側面１２ｃを凹部２０ａにより深く差し込み得る。これにより、乳幼児用枕１１を授乳クッション２０に対して安定的に組み合わせ得る。さらに、上面１２ｂ及び側面１２ｃの底面２ａに対する各傾斜角を異ならせたことにより、上面１２ｂの底面１２ａに対する傾斜角を、例えば、２０度以上かつ２８度以下の緩やかな角度にしつつ、側面１２ｃの底面１２ａに対する傾斜角を、授乳クッション２０の凹部２０ａに対して適した大きめの角度にすることができ、授乳クッションとの組み合わせを好適に安定化させ得る。
【００４０】
図５（ａ）は、乳幼児用枕１１に組み合わせる授乳クッション２０の外観の一例を示す斜視図であり、図５（ｂ）は、乳幼児用枕１１と授乳クッション２０とを組み合わせた状態を示す斜視図である。
【００４１】
図５（ａ）に示すように、授乳クッション２０は、凹部２０ａを有する略Ｕ字状のクッション体である。授乳クッション２０は、授乳時に凹部２０ａを人体（例えば、母親）の腰部の前側に装着し、その上に授乳対象の乳幼児を乗せることにより、授乳時における乳幼児の姿勢を安定させる補助具である。
【００４２】
上述した通り、乳幼児用枕１１は、その上面視の形状（端辺１２ａ２，１２ｂ２の側の形状）が、凹部２０ａに沿う形状に構成されるので、図５（ｂ）に示すように、乳幼児用枕１１の側面１１ｃ（本体１２ａの側面１２ｂに対応）を凹部２０ａに差し込むことによって、乳幼児用枕１１と授乳クッション２０とを組み合わせて使用することができる。このとき、乳幼児用枕１１の側断面における角β２が鋭角に構成されているので、側面１１ｃを凹部２０ａに差し込んだ場合、授乳クッション２０の膨らみによって下側に形成される床面との空間に、底面１１ａ（本体１２ａの底面１２ａに対応）に対する側面１１ｃの傾斜が入り込む。これにより、乳幼児用枕１１を凹部２０ａにより深く差し込むことができるので、乳幼児用枕１１を授乳クッション２０に対して安定的に組み合わせられる。
【００４３】
乳幼児用枕１１における底面１１ａに対する、上面１１ｂ（本体１２ａの上面１２ｂに対応）の高さを、授乳クッション２０の高さより低くすることにより、授乳クッション２０の凹部２０ａに対する乳幼児用枕１１の収まりを良好にできる。また、底面１１ａに対する上面１１ｂの高さを、授乳クッション２０の高さより低くすることにより、授乳クッション２０から、乳幼児用枕１１に向かって下降する傾斜を作ることができ、授乳クッション２０を含めて乳幼児を載置する（寝かせる）ことができる。
【００４４】
図６は、本実施形態の乳幼児用枕１１の使用状態の一例を説明する参考図である。上述した通り、乳幼児用枕１１は、授乳クッション２０と組み合わせて使用される。図６に示すように、乳幼児Ｂは、乳幼児用枕１１と授乳クッション２０との組み合わせ体に、頭部Ｂａが胴体部Ｂｂ高くなるよう、上面１１ｂに仰向けに載置される。このように、本実施形態の乳幼児用枕１１によれば、乳幼児Ｂを、頭部Ｂ１を高くした仰向けの状態で寝かせることができるので、吐き戻しやげっぷや鼻詰まり等の発生を防止できる。
【００４５】
また、本実施形態の乳幼児用枕１１は、授乳時に使用する授乳クッション２０との組み合わせによって使用するので、授乳クッション２０の凹部２０ａに相当する大きさで済む。よって、乳幼児用枕１１を比較的小さいサイズにすることができ、収納や取り扱い易さの点において都合が良い。
【００４６】
以上、各実施形態に基づき本考案を説明したが、本考案は上記実施形態に何ら限定されるものではなく、本考案の趣旨を逸脱しない範囲内で種々の改良変形が可能であることは容易に推察できるものである。
【００４７】
例えば、上記第１実施形態では、カバー部３ａにおける領域３ａ３に滑り止め用の小さな突起Ｐを設けることによって、領域３ａ３を滑り止めに構成したが、領域３ａ３を床面との摩擦係数が大きくなるような素材で構成してもよい。
【００４８】
上記第２実施形態では、カバー１３に、第１実施形態の延出部３ｂのようなシート部分が設けられていないが、カバー１３における本体１２の端辺１２ａ２，１２ｂ２の側に、第１実施形態の延出部３ｂと同様のシート状の延出部を設けてもよい。
【符号の説明】
【００４９】
１，１１            乳幼児用枕
２，１２            本体
２ａ，１２ａ        底面
２ａｘ，１２ａｘ    底辺
２ｂ，２ｃ          上面（底面に対して傾斜する面）
２ｂｘ，２ｃｘ      斜辺
１２ｂ              上面（底面に対して傾斜する面）
１２ｃ              側面（底面に対して傾斜する面）
１２ｂｘ，１２ｃｘ  斜辺
３，１３            カバー
３ａ                カバー部
３ｂ                延出部
【図１】
0003176842.tif 000003
【図３】
0003176842.tif 000004
【図５】
0003176842.tif 000005
【図６】
0003176842.tif 000006
【図２】
0003176842.tif 000007
【図４】
0003176842.tif 000008